(57)【要約】【課題】係止対象物から外れにくく、かつ、安価な係止金具を提供する。【解決手段】係止金具１を形成する金属製線材１０は、第１端部１１と、第２端部１２と、両端部１１，１２の間に設けられた中間部１３と、中間部１３と第１端部１１とを連結する第１連結部１４と、中間部１３と第２端部１２とを連結する第２連結部１５とを有する。中間部１３が曲げられたことにより、第１連結部１４と第２連結部１５とが、第１の空間Ｓ１を介して互いに対向するように配置され、鉤状の各端部１１，１２が、第１の空間Ｓ１を閉じるように互いに重なる。また、第１端部１１と第２端部１２とが、紐Ｒを通すことが可能な第２の空間Ｓ２を形成し、かつ、第２の空間Ｓ２を閉じるように互いに重なり、連結部１４，１５を互いに近づける外力Ｆ２が金属製線材１０に対して作用することにより、第２の空間Ｓ２が第１の空間Ｓ１に向けて開口するように金属製線材１０が弾性変形する。【選択図】図２
2015021607.tif 000002
【特許請求の範囲】
【請求項１】
１本の金属製線材により形成され、係止対象物に掛けられる係止金具であって、
前記金属製線材は、鉤状に形成された一端である第１端部と、鉤状に形成された他端である第２端部と、前記第１端部と前記第２端部との間に設けられた中間部と、前記中間部と前記第１端部とを連結する第１連結部と、前記中間部と前記第２端部とを連結する第２連結部とを有し、
前記中間部が曲げられたことにより、前記第１連結部と前記第２連結部とが、交差せずに、かつ、第１の空間を介して互いに対向するように配置され、
鉤状の前記第１端部および前記第２端部が、前記第１の空間を閉じるように、前記第１の空間に向けて曲がっており、
前記第１端部と前記第２端部とが、前記第１の空間に向けて開口可能であって前記係止対象物を通すことが可能な第２の空間を形成し、かつ、前記第２の空間を閉じるように互いに重なり、
前記第１連結部と前記第２連結部とを互いに近づける外力が前記金属製線材に対して作用することにより、前記第２の空間が前記第１の空間に向けて開口するように前記金属製線材が弾性変形する
ことを特徴とする係止金具。
【請求項２】
互いに重なった前記第１端部と前記第２端部との間を通して前記係止対象物を前記第１の空間に対して出し入れできるように前記金属製線材が弾性変形する
ことを特徴とする請求項１に記載の係止金具。
【請求項３】
前記金属製線材は、前記中間部から遠ざかるにつれて前記第１連結部と前記第２連結部との間隔が小さくなるように曲げられている
ことを特徴とする請求項１または２に記載の係止金具。
【請求項４】
前記金属製線材は、前記中間部から遠ざかるにつれて前記第１連結部と前記第２連結部との間隔が大きくなるように曲げられている
ことを特徴とする請求項１または２に記載の係止金具。
【請求項５】
前記中間部は、閉じた第３の空間が形成されるように１周以上巻かれた巻きばね状となっている
ことを特徴とする請求項１〜４のいずれか１項に記載の係止金具。
【請求項６】
前記第１端部と前記第２端部とが前記第２の空間を閉じている状態において、前記第１端部と前記第２端部とが互いに対向する仮想平面に対して垂直な方向から見て、前記第１端部の先端と前記第２端部の先端とが重なる
ことを特徴とする請求項１〜５のいずれか１項に記載の係止金具。
【請求項７】
前記第１端部と前記第２端部とが前記第２の空間を閉じている状態において、前記第１端部の先端面と前記第２端部の先端面とが互いに接触する
ことを特徴とする請求項１〜５のいずれか１項に記載の係止金具。
【請求項８】
前記第１端部および前記第２端部は、前記第１の空間から前記第２の空間に向けて前記係止対象物を案内することが可能な案内部を有し、
前記係止対象物が前記第２の空間に向けて前記案内部を押したときに、前記第１連結部と前記第２連結部とを互いに近づける外力が前記金属製線材に対して作用する
ことを特徴とする請求項１〜７のいずれか１項に記載の係止金具。
【請求項９】
前記第１端部と前記第２端部とが前記第２の空間を閉じている状態において、前記第１端部および前記第２端部の少なくとも一方の先端が、前記第２の空間に向けて折れ曲がっている
ことを特徴とする請求項１〜８のいずれか１項に記載の係止金具。
【発明の詳細な説明】
【技術分野】
【０００１】
本発明は、金属製線材からなる係止金具に関するものである。
【背景技術】
【０００２】
紐等の係止対象物に掛けられる係止金具として、金属製の輪により構成されるカラビナが一般的に知られている。カラビナは、金属製の輪の内部を開放するために開閉可能なゲートや、ゲートを閉じるためのばね等を有している。カラビナは構成部品が多いため、製造コストが高い。
【０００３】
安価な係止金具を製造するためには、係止金具の構成部品が少ないことが好ましい。特許文献１には、構成部品の少ない係止金具として、１本の線材からなる係止金具であって、墜落防止安全器の吊り下げ具に使用される係着環が記載されている。
【０００４】
図１４を参照して、特許文献１に記載される係止金具を説明する。
図１４（Ａ）に示すように、係止金具１０１は、線材１１０により形成される。線材１１０は、鉤状に形成された一端である第１端部１１１と、鉤状に形成された他端である第２端部１１２と、第１端部１１１と第２端部１１２との間に設けられた中間部１１３とを有する。中間部１１３が螺旋状に曲げられたことにより、第１端部１１１と第２端部１１２とが、第１の空間Ｓ１０１を介して互いに対向するように配置される。さらに、線材１１０は、第１端部１１１と中間部１１３とを接続する第１直線部１１４および第１反転部１１５と、第２端部１１２と中間部１１３とを接続する第２直線部１１６および第２反転部１１７とを有する。１本の線材１１０は、第１端部１１１、第１反転部１１５、第１直線部１１４、中間部１１３、第２直線部１１６、第２反転部１１７、第２端部１１２の順で連続している。中間部１１３から延びる第１直線部１１４と第２直線部１１６とは、交差せずに、かつ、互いに対向するように配置されている。第１反転部１１５と第２反転部１１７は、係止対象物である紐Ｒを通すことが可能な第２の空間Ｓ１０２を形成し、第２の空間Ｓ１０２を閉じるように互いに２回交差する。
【０００５】
第２の空間Ｓ１０２に紐Ｒを通す際には、第１直線部１１４と第２直線部１１６とを互いに近づける。第１直線部１１４と第２直線部１１６とを互いに近づける外力Ｆ１００（図１４（Ｂ）参照）が線材１１０に対して作用したとき、第１端部１１１および第２端部１１２により形成される第１の空間Ｓ１０１が小さくなり、第１反転部１１５および第２反転部１１７により形成される第２の空間Ｓ１０２が大きくなる。このように線材１１０を弾性変形させることにより、第１の空間Ｓ１０１が消失し、図１４（Ｂ）に示すように、第２の空間Ｓ１０２が係止金具１０１の外部に向けて開口する。したがって、第１直線部１１４と第２直線部１１６とを互いに近づけることにより、係止金具１０１の外部から第２の空間Ｓ１０２に紐Ｒを通すことができる。第２の空間Ｓ１０２に紐Ｒを通した後、第１反転部１１５と第２反転部１１７とが第２の空間Ｓ１０２を閉じることによって、紐Ｒが第２の空間Ｓ１０２から抜けないようにすることができる。
【先行技術文献】
【特許文献】
【０００６】
【特許文献１】特開２００４−３０５５９５号公報
【発明の概要】
【発明が解決しようとする課題】
【０００７】
しかしながら、第１直線部１１４と第２直線部１１６とを互いに近づける外力Ｆ１００が意図せずに線材１１０に対して作用したとき、第２の空間Ｓ１０２が開口することによって、紐Ｒが第２の空間Ｓ１０２から脱けて、紐Ｒから係止金具１０１が外れるおそれがあるという問題がある。
【０００８】
本発明は、上記事情に鑑みてなされたものであって、係止対象物から外れにくく、かつ、安価な係止金具を提供することを課題とする。
【課題を解決するための手段】
【０００９】
上記課題を解決するため、請求項１に記載の係止金具は、１本の金属製線材により形成され、係止対象物に掛けられる係止金具であって、前記金属製線材は、鉤状に形成された一端である第１端部と、鉤状に形成された他端である第２端部と、前記第１端部と前記第２端部との間に設けられた中間部と、前記中間部と前記第１端部とを連結する第１連結部と、前記中間部と前記第２端部とを連結する第２連結部とを有し、前記中間部が曲げられたことにより、前記第１連結部と前記第２連結部とが、交差せずに、かつ、第１の空間を介して互いに対向するように配置され、鉤状の前記第１端部および前記第２端部が、前記第１の空間を閉じるように、前記第１の空間に向けて折れ曲がって互いに重なり、前記第１端部と前記第２端部とが、前記第１の空間に向けて開口可能であって前記係止対象物を通すことが可能な第２の空間を形成し、かつ、前記第２の空間を閉じるように互いに重なり、前記第１連結部と前記第２連結部とを互いに近づける外力が前記金属製線材に対して作用することにより、前記第２の空間が前記第１の空間に向けて開口するように前記金属製線材が弾性変形することを特徴とする。
【００１０】
請求項２に記載の係止金具は、請求項１に記載の係止金具において、互いに重なった前記第１端部と前記第２端部との間を通して前記係止対象物を前記第１の空間に対して出し入れできるように前記金属製線材が弾性変形することを特徴とする。
【００１１】
請求項３に記載の係止金具は、請求項１または２に記載の係止金具において、前記金属製線材は、前記中間部から遠ざかるにつれて前記第１連結部と前記第２連結部との間隔が小さくなるように曲げられていることを特徴とする。
【００１２】
請求項４に記載の係止金具は、請求項１または２に記載の係止金具において、前記金属製線材は、前記中間部から遠ざかるにつれて前記第１連結部と前記第２連結部との間隔が大きくなるように曲げられていることを特徴とする。
【００１３】
請求項５に記載の係止金具は、請求項１〜４のいずれか１項に記載の係止金具において、前記中間部は、閉じた第３の空間が形成されるように１周以上巻かれた巻きばね状となっていることを特徴とする。
【００１４】
請求項６に記載の係止金具は、請求項１〜５のいずれか１項に記載の係止金具であって、前記第１端部と前記第２端部とが前記第２の空間を閉じている状態において、前記第１端部と前記第２端部とが互いに対向する仮想平面に対して垂直な方向から見て、前記第１端部の先端と前記第２端部の先端とが重なることを特徴とする。
【００１５】
請求項７に記載の係止金具は、請求項１〜５のいずれか１項に記載の係止金具であって、前記第１端部と前記第２端部とが前記第２の空間を閉じている状態において、前記第１端部の先端面と前記第２端部の先端面とが互いに接触することを特徴とする。
【００１６】
請求項８に記載の係止金具は、請求項１〜７のいずれか１項に記載の係止金具において、前記第１端部および前記第２端部、前記第１の空間から前記第２の空間に向けて前記係止対象物を案内することが可能な案内部を有し、前記係止対象物が前記第２の空間に向けて前記案内部を押したときに、前記第１連結部と前記第２連結部とを互いに近づける外力が前記金属製線材に対して作用することを特徴とする。
【００１７】
請求項９に記載の係止金具は、請求項１〜８のいずれか１項に記載の係止金具であって、前記第１端部と前記第２端部とが前記第２の空間を閉じている状態において、前記第１端部および前記第２端部の少なくとも一方の先端が、前記第２の空間に向けて折れ曲がっていることを特徴とする。
【発明の効果】
【００１８】
本発明によれば、係止対象物から外れにくく、かつ、安価な係止金具を提供することができる。
【図面の簡単な説明】
【００１９】
【図１】本発明の第１実施形態に係る係止金具を示す図であって、（Ａ）は正面図、（Ｂ）は側面図、（Ｃ）は第１端部の正面図、（Ｄ）は第２端部の正面図。
【図２】同実施形態に係る係止金具について、係止対象物に係止金具を掛ける工程の一例を示す図。
【図３】本発明の第２実施形態に係る係止金具を示す図であって、（Ａ）は正面図、（Ｂ）は側面図、（Ｃ）は第１端部の正面図、（Ｄ）は第２端部の正面図。
【図４】同実施形態に係る係止金具について、係止対象物に係止金具を掛ける工程の一例を示す図。
【図５】本発明の第３実施形態に係る係止金具を示す図であって、（Ａ）は正面図、（Ｂ）は側面図、（Ｃ）は第１端部の正面図、（Ｄ）は第２端部の正面図。
【図６】同実施形態に係る係止金具について、係止対象物に係止金具を掛ける工程の一例を示す図。
【図７】本発明の第４実施形態に係る係止金具を示す図であって、（Ａ）は正面図、（Ｂ）は側面図、（Ｃ）は第１端部の正面図、（Ｄ）は第２端部の正面図。
【図８】同実施形態に係る係止金具について、係止対象物に係止金具を掛ける工程の一例を示す図。
【図９】本発明の第５実施形態に係る係止金具を示す図であって、（Ａ）は正面図、（Ｂ）は側面図、（Ｃ）は第１端部の正面図、（Ｄ）は第２端部の正面図。
【図１０】同実施形態に係る係止金具について、係止対象物に係止金具を掛ける工程の一例を示す図。
【図１１】本発明の第６実施形態に係る係止金具を示す図であって、（Ａ）は正面図、（Ｂ）は側面図、（Ｃ）は第１端部の正面図、（Ｄ）は第２端部の正面図。
【図１２】同実施形態に係る係止金具について、係止対象物に係止金具を掛ける工程の一例を示す図。
【図１３】本発明の変形例に係る係止金具を示す図であって、（Ａ）は正面図、（Ｂ）は側面図、（Ｃ）は第１端部の正面図、（Ｄ）は第２端部の正面図。
【図１４】従来の係止金具を示す図であって、（Ａ）は係止対象物に係止金具が掛けられた状態を示す図、（Ｂ）は係止対象物を通す空間が開口している状態を示す図。
【発明を実施するための形態】
【００２０】
図面を参照しながら、本発明の係止金具を説明する。なお、図中の矢印Ｘで示すＸ方向と、図中の矢印Ｙで示すＹ方向と、図中の矢印Ｚで示すＺ方向とは、互いに直交する方向である。係止金具は、紐等の係止対象物に掛けられるフックとして使用される。
【００２１】
（第１実施形態）
図１及び図２を参照して、本発明の第１実施形態を説明する。
図１に示すように、係止金具１は、１本の金属製線材１０からなる。金属製線材１０としては、例えば、ばね用のステンレス鋼等の金属材料からなり、断面形状が円形である直径２ｍｍの丸線を用いることができる。係止金具１は、例えば、Ｘ方向において約２．８ｃｍの寸法、Ｙ方向において約０．５ｃｍの寸法、および、Ｚ方向において約６．４ｃｍの寸法を有する。
【００２２】
金属製線材１０は、一端である第１端部１１と、他端である第２端部１２と、第１端部１１と第２端部１２との間に設けられた中間部１３とを有し、さらに、第１端部１１と中間部１３とを連結する第１連結部１４と、第２端部１２と中間部１３とを連結する第２連結部１５とを有する。１本の金属製線材１０は、第１端部１１、第１連結部１４、中間部１３、第２連結部１５、第２端部１２の順で連続している。
【００２３】
第１端部１１および第２端部１２は、鉤状に形成されている。鉤状の第１端部１１および第２端部１２は、第１連結部１４と第２連結部１５により形成される第１の空間Ｓ１（図１（Ａ）参照）を閉じるように、第１の空間Ｓ１に向けて曲がっている。第１端部１１および第２端部１２は、同じ形状を有しており、約０．６ｃｍの内径を有するように円弧状の部分を有する。図１（Ｃ）に示すように、第１端部１１の先端面１１Ａを含む部分、すなわち第１端部１１の先端は、直線状の第１連結部１４を向いている。また、図１（Ｄ）に示すように、第２端部１２の先端面１２Ａを含む部分、すなわち第２端部１２の先端は、直線状の第２連結部１５を向いている。第１端部１１と第２端部１２とは、第１の空間Ｓ１に向けて開口可能であって、係止対象物を通すことが可能な第２の空間Ｓ２を形成し、かつ、第２の空間Ｓ２を閉じるように互いに重なっている。
【００２４】
中間部１３は、約２．２ｃｍの内径を有する巻きばね状となっている。すなわち、中間部１３は、閉じた第３の空間Ｓ３が形成されるように、金属製線材１０が１周以上巻かれて形成されている。中間部１３が曲げられたことにより、第１連結部１４と第２連結部１５とは、交差せずにＺ方向に延び、かつ、第１の空間Ｓ１を介して互いに対向するように配置されている。また、金属製線材１０は、中間部１３から遠ざかるにつれて第１連結部１４と第２連結部１５との間隔が小さくなるように曲げられている。
【００２５】
金属製線材１０は、互いに重なった第１端部１１と第２端部１２との間を通して係止対象物を第１の空間Ｓ１に対して出し入れできるように弾性変形する。すなわち、金属製線材１０は、外力を加えることにより、第１端部１１と第２端部１２とがＹ方向において互いに離れるように弾性変形する。また、第１連結部１４と第２連結部１５とを互いに近づける外力が金属製線材１０に対して作用することにより、金属製線材１０は、第２の空間Ｓ２が第１の空間Ｓ１に向けて開口するように弾性変形する。図１（Ａ）に示すように、第１端部１１と第２端部１２とが第２の空間Ｓ２を閉じている状態においては、第１端部１１と第２端部１２とが互いに対向する仮想平面Ｐ（図１（Ｂ）参照）に垂直な方向から見て、第１端部１１の先端と第２端部１２の先端とが重なっている。
【００２６】
図２を参照して、係止金具１を係止対象物である紐Ｒに掛ける工程の一例について説明する。
まず、係止金具１の外部から紐Ｒを第１の空間Ｓ１に通すために、図２（Ａ）に示すように、第１端部１１と第２端部１２とが互いに離れる外力Ｆ１を金属製線材１０に加えて、金属製線材１０を弾性変形させる。そして、第１端部１１と第２端部１２との間を通して、第１連結部１４と第２連結部１５との間に紐Ｒを移動させ、係止金具１の向きを９０°変えることにより、図２（Ｂ）に示すように、第１の空間Ｓ１に紐Ｒを通す。第１の空間Ｓ１に紐Ｒを通した後、金属製線材１０の復元力によって両端部１１，１２を互いに近づけて、第１端部１１と第２端部１２とにより第１の空間Ｓ１が閉じた状態とする。次いで、図２（Ｃ）に示すように、第１連結部１４と第２連結部１５とが互いに近づく外力Ｆ２を金属製線材１０に加えて、金属製線材１０を弾性変形させる。そして、第１端部１１の先端と第２端部１２の先端との間を通して、第１の空間Ｓ１から第２の空間Ｓ２に紐Ｒを移動させ、金属製線材１０の復元力によって両連結部１４，１５を互いに離して、第１端部１１と第２端部１２とにより第２の空間Ｓ２が閉じた状態とする。このようにして、図２（Ｄ）に示すように、紐Ｒに係止金具１が掛けられる。
【００２７】
本実施形態の係止金具１においては以下の効果が得られる。
（１）第１連結部１４と第２連結部１５とを互いに近づける外力Ｆ２が金属製線材１０に対して作用するときは、金属製線材１０が弾性変形することにより、第２の空間Ｓ２が第１の空間Ｓ１に向けて開口する。したがって、紐Ｒ等の係止対象物を、互いに重なった第１端部１１と第２端部１２との間から第１の空間Ｓ１に通して、さらに、金属製線材１０を弾性変形させることにより、第１の空間Ｓ１から第２の空間Ｓ２に通すことができる。そして、外力Ｆ２が金属製線材１０に対して作用しないときは、第１端部１１および第２端部１２により第２の空間Ｓ２が閉じた状態となるため、係止対象物が第２の空間Ｓ２から抜けないようにすることができ、係止対象物に係止金具１を掛けることができる。また、第２の空間Ｓ２は係止金具１が有する第１の空間Ｓ１に向けて開口するため、係止対象物が第２の空間Ｓ２から抜けた場合であっても、係止対象物が第１の空間Ｓ１から抜けない限り、係止対象物から係止金具１が外れない。したがって、係止対象物から外れにくく、かつ、構成部品が少ない安価な係止金具１を構成することができる。
【００２８】
（２）互いに重なった第１端部１１と第２端部１２との間を通して紐Ｒを第１の空間Ｓ１に対して出し入れできるため、紐Ｒの一端から第１の空間Ｓ１に通すことなく、長尺の紐Ｒの中間部分を第１の空間Ｓ１に通すことができる。すなわち、長尺の係止対象物の任意の箇所において係止金具１を容易に掛けることができる。また、互いに重なった第１端部１１と第２端部１２との間を通して紐Ｒ等の係止対象物を第１の空間Ｓ１に対して出し入れできるように金属製線材１０が弾性変形する。このため、金属製線材１０を弾性変形させることにより、係止対象物を、第１端部１１と第２端部１２との間から第１の空間Ｓ１に通すことができる。そして、外力Ｆ１が金属製線材１０に対して作用しないときは、第１端部１１および第２端部１２により第１の空間Ｓ１が閉じた状態となるため、係止対象物が第１端部１１と第２端部１２との間を通して第１の空間Ｓ１から抜けないようにすることができる。
【００２９】
（３）金属製線材１０は、中間部１３から遠ざかるにつれて第１連結部１４と第２連結部１５との間隔が小さくなるように曲げられているため、第１端部１１と第２端部１２とを互いに重ねることにより形成される第２の空間Ｓ２を小さくすることができる。
【００３０】
（４）中間部１３は、閉じた第３の空間Ｓ３が形成されるように１周以上巻かれた巻きばね状となっている。したがって、第２の空間Ｓ２に紐Ｒ等の係止対象物を通し、さらに、他の係止対象物（図示略）を第３の空間Ｓ３に通すことにより、互いに独立した各空間Ｓ２，Ｓ３に係止対象物を通すことができる。このため、係止金具１を２つの係止対象物に掛けることができ、係止対象物が互いに干渉しないようにすることができる。
【００３１】
（５）第１端部１１と第２端部１２とが第２の空間Ｓ２を閉じている状態において、第１端部１１と第２端部１２とが互いに対向する仮想平面Ｐ１に対して垂直な方向から見て、第１端部１１の先端と第２端部１２の先端とが重なる。このため、第１端部１１および第２端部１２が仮想平面Ｐに沿って移動するときに、第２の空間Ｓ２を直ちに開口させないようにすることができる。
【００３２】
（第２実施形態）
次に、図３および図４を参照して、本発明の第２実施形態を説明する。
図３に示すように、係止金具２は、１本の金属製線材２０からなる。金属製線材２０としては、例えば、金属製線材１０と同じ丸線を用いることができる。係止金具２は、例えば、Ｘ方向において約２．８ｃｍの寸法、Ｙ方向において約０．５ｃｍの寸法、および、Ｚ方向において約７．３ｃｍの寸法を有する。
【００３３】
金属製線材２０は、一端である第１端部２１と、他端である第２端部２２と、第１端部２１と第２端部２２との間に設けられた中間部２３とを有し、さらに、第１端部２１と中間部２３とを連結する第１連結部２４と、第２端部２２と中間部２３とを連結する第２連結部２５とを有する。１本の金属製線材２０は、第１端部２１、第１連結部２４、中間部２３、第２連結部２５、第２端部２２の順で連続している。
【００３４】
第１端部２１および第２端部２２は、鉤状に形成されている。鉤状の第１端部２１および第２端部２２は、第１連結部２４と第２連結部２５により形成される第１の空間Ｓ１（図３（Ａ）参照）を閉じるように、第１の空間Ｓ１に向けて曲がっている。第１端部２１および第２端部２２は、同じ形状を有しており、約２．８ｃｍの内径を有するように円弧状の部分を有する。図３（Ｃ）に示すように、第１端部２１の先端面２１Ａを含む部分、すなわち第１端部２１の先端は、ほぼ直線状の第１連結部２４を向いている。また、図３（Ｄ）に示すように、第２端部２２の先端面２２Ａを含む部分、すなわち第２端部２２の先端は、ほぼ直線状の第２連結部２５を向いている。第１端部２１と第２端部２２とは、第１の空間Ｓ１に向けて開口可能であって、係止対象物を通すことが可能な第２の空間Ｓ２を形成し、かつ、第２の空間Ｓ２を閉じるように互いに重なっている。
【００３５】
中間部２３は、約０．６ｃｍの内径を有する巻きばね状となっている。すなわち、中間部２３は、閉じた第３の空間Ｓ３が形成されるように、金属製線材２０が１周以上巻かれて形成されている。中間部２３が曲げられたことにより、第１連結部２４と第２連結部２５とは、交差せずにＺ方向に延び、かつ、第１の空間Ｓ１を介して互いに対向するように配置されている。また、金属製線材２０は、中間部２３から遠ざかるにつれて第１連結部２４と第２連結部２５との間隔が大きくなるように曲げられている。
【００３６】
金属製線材２０は、互いに重なった第１端部２１と第２端部２２との間を通して係止対象物を第１の空間Ｓ１に対して出し入れできるように弾性変形する。すなわち、金属製線材２０は、外力を加えることにより、第１端部２１と第２端部２２とがＹ方向において互いに離れるように弾性変形する。また、第１連結部２４と第２連結部２５とを互いに近づける外力が金属製線材２０に対して作用することにより、金属製線材２０は、第２の空間Ｓ２が第１の空間Ｓ１に向けて開口するように弾性変形する。図３（Ａ）に示すように、第１端部２１と第２端部２２とが第２の空間Ｓ２を閉じている状態においては、第１端部２１と第２端部２２とが互いに対向する仮想平面Ｐ（図３（Ｂ）参照）に垂直な方向から見て、第１端部２１の先端面２１Ａと第２端部２２の先端面２２Ａとが合わさっている。
【００３７】
図４を参照して、係止金具２を係止対象物である紐Ｒに掛ける工程の一例について説明する。
まず、係止金具２の外部から紐Ｒを第１の空間Ｓ１に通すために、図４（Ａ）に示すように、第１端部２１と第２端部２２とが互いに離れる外力Ｆ１を金属製線材２０に加えて、金属製線材２０を弾性変形させる。そして、第１端部２１と第２端部２２との間を通して、第１連結部２４と第２連結部２５との間に紐Ｒを移動させ、係止金具２の向きを９０°変えることにより、図４（Ｂ）に示すように、第１の空間Ｓ１に紐Ｒを通す。第１の空間Ｓ１に紐Ｒを通した後、金属製線材２０の復元力によって両端部２１，２２を互いに近づけて、第１端部２１と第２端部２２とにより第１の空間Ｓ１が閉じた状態とする。次いで、図４（Ｃ）に示すように、第１連結部２４と第２連結部２５とが互いに近づく外力Ｆ２を金属製線材２０に加えて、金属製線材２０を弾性変形させる。そして、第１端部２１の先端と第２端部２２の先端との間を通して、第１の空間Ｓ１から第２の空間Ｓ２に紐Ｒを移動させ、金属製線材２０の復元力によって両連結部２４，２５を互いに離して、第１端部２１と第２端部２２とにより第２の空間Ｓ２が閉じた状態とする。このようにして、図４（Ｄ）に示すように、紐Ｒに係止金具２が掛けられる。
【００３８】
本実施形態の係止金具２においては以下の効果が得られる。
（６）第１連結部２４と第２連結部２５とを互いに近づける外力Ｆ２が金属製線材２０に対して作用するときは、金属製線材２０が弾性変形することにより、第２の空間Ｓ２が第１の空間Ｓ１に向けて開口する。したがって、上記（１）と同様の作用効果を得ることができる。すなわち、第２の空間Ｓ２に係止対象物を通すことにより係止金具２が係止対象物に掛けられるため、係止対象物から外れにくく、かつ、構成部品が少ない安価な係止金具２を構成することができる。
【００３９】
（７）互いに重なった第１端部２１と第２端部２２との間を通して紐Ｒ等の係止対象物を第１の空間Ｓ１に対して出し入れできるように金属製線材２０が弾性変形する。したがって、上記（２）と同様の作用効果を得ることができる。すなわち、長尺の係止対象物の任意の箇所において係止金具２を容易に掛けることができ、外力Ｆ１が金属製線材２０に対して作用しないときは、係止対象物が第１端部２１と第２端部２２との間を通して第１の空間Ｓ１から抜けないようにすることができる。
【００４０】
（８）金属製線材２０は、中間部２３から遠ざかるにつれて第１連結部２４と第２連結部２５との間隔が大きくなるように曲げられている。このため、第１端部２１と第２端部２２とを互いに重ねることにより形成される第２の空間Ｓ２を大きくすることができる。
【００４１】
（９）中間部２３は、閉じた第３の空間Ｓ３が形成されるように１周以上巻かれた巻きばね状となっている。このため、上記（４）と同様の作用効果を得ることができる。すなわち、係止金具２を２つの係止対象物に掛けることができ、係止対象物が互いに干渉しないようにすることができる。
【００４２】
（第３実施形態）
次に、図５および図６を参照して、本発明の第３実施形態を説明する。
図５に示すように、係止金具３は、１本の金属製線材３０からなる。金属製線材３０としては、金属製線材１０と同じ丸線を用いることができる。係止金具３は、例えば、Ｘ方向において約３ｃｍの寸法、Ｙ方向において約０．６ｃｍの寸法、および、Ｚ方向において約７．２ｃｍの寸法を有する。
【００４３】
金属製線材３０は、一端である第１端部３１と、他端である第２端部３２と、第１端部３１と第２端部３２との間に設けられた中間部３３とを有し、さらに、第１端部３１と中間部３３とを連結する第１連結部３４と、第２端部３２と中間部３３とを連結する第２連結部３５とを有する。１本の金属製線材３０は、第１端部３１、第１連結部３４、中間部３３、第２連結部３５、第２端部３２の順で連続している。
【００４４】
第１端部３１および第２端部３２は、鉤状に形成されている。鉤状の第１端部３１および第２端部３２は、第１連結部３４と第２連結部３５により形成される第１の空間Ｓ１（図５（Ａ）参照）を閉じるように、第１の空間Ｓ１に向けて曲がっている。第１端部３１および第２端部３２は、異なる形状を有しており、第１端部３１は、約０．８ｃｍの内径を有するように円弧状の部分を有し、第２端部３２は、約０．５ｃｍの内径を有するように円弧状の部分を有する。図５（Ｃ）に示すように、第１端部３１の先端面３１Ａを含む部分、すなわち第１端部３１の先端は、ほぼ直線状の第１連結部３４を向いている。また、図５（Ｄ）に示すように、第２端部３２の先端面３２Ａを含む部分、すなわち第２端部３２の先端は、ほぼ直線状の第２連結部３５を向いている。第１端部３１と第２端部３２とは、第１の空間Ｓ１に向けて開口可能であって、係止対象物を通すことが可能な第２の空間Ｓ２を形成し、かつ、第２の空間Ｓ２を閉じるように互いに重なっている。
【００４５】
中間部３３は、約２．５ｃｍの内径を形成する半円形状の部分を有する。中間部３３が曲げられたことにより、第１連結部３４と第２連結部３５とは、交差せずにＺ方向に延び、かつ、第１の空間Ｓ１を介して互いに対向するように配置されている。また、金属製線材３０は、中間部３３から遠ざかるにつれて第１連結部３４と第２連結部３５との間隔が小さくなるように曲げられている。
【００４６】
金属製線材３０は、互いに重なった第１端部３１と第２端部３２との間を通して係止対象物を第１の空間Ｓ１に対して出し入れできるように弾性変形する。すなわち、金属製線材３０は、外力を加えることにより、第１端部３１と第２端部３２とがＹ方向において互いに離れるように弾性変形する。また、第１連結部３４と第２連結部３５とを互いに近づける外力が金属製線材３０に対して作用することにより、金属製線材３０は、第２の空間Ｓ２が第１の空間Ｓ１に向けて開口するように弾性変形する。図５（Ａ）に示すように、第１端部３１と第２端部３２とが第２の空間Ｓ２を閉じている状態においては、第１端部３１の先端面３１Ａと第２端部３２の先端面３２Ａとが互いに接触する。
【００４７】
図６を参照して、係止金具３を係止対象物である紐Ｒに掛ける工程の一例について説明する。
まず、係止金具３の外部から紐Ｒを第１の空間Ｓ１に通すために、図６（Ａ）に示すように、第１端部３１と第２端部３２とが互いに離れる外力Ｆ１を金属製線材３０に加えて、金属製線材３０を弾性変形させる。そして、第１端部３１と第２端部３２との間を通して、第１連結部３４と第２連結部３５との間に紐Ｒを移動させ、係止金具３の向きを９０°変えることにより、図６（Ｂ）に示すように、第１の空間Ｓ１に紐Ｒを通す。第１の空間Ｓ１に紐Ｒを通した後、金属製線材３０の復元力によって両端部３１，３２を互いに近づけて、第１端部３１と第２端部３２とにより第１の空間Ｓ１が閉じた状態とする。次いで、図６（Ｃ）に示すように、第１連結部３４と第２連結部３５とが互いに近づく外力Ｆ２を金属製線材３０に加えて、金属製線材３０を弾性変形させる。そして、第１端部３１の先端と第２端部３２の先端との間を通して、第１の空間Ｓ１から第２の空間Ｓ２に紐Ｒを移動させ、金属製線材３０の復元力によって両連結部３４，３５を互いに離して、第１端部３１と第２端部３２とにより第２の空間Ｓ２が閉じた状態とする。このようにして、図６（Ｄ）に示すように、紐Ｒに係止金具３が掛けられる。
【００４８】
本実施形態の係止金具３においては以下の効果が得られる。
（１０）第１連結部３４と第２連結部３５とを互いに近づける外力Ｆ２が金属製線材３０に対して作用するときは、金属製線材３０が弾性変形することにより、第２の空間Ｓ２が第１の空間Ｓ１に向けて開口する。したがって、上記（１）と同様の作用効果を得ることができる。すなわち、第２の空間Ｓ２に係止対象物を通すことにより係止金具３が係止対象物に掛けられるため、係止対象物から外れにくく、かつ、構成部品が少ない安価な係止金具３を構成することができる。
【００４９】
（１１）互いに重なった第１端部３１と第２端部３２との間を通して紐Ｒ等の係止対象物を第１の空間Ｓ１に対して出し入れできるように金属製線材３０が弾性変形する。したがって、上記（２）と同様の作用効果を得ることができる。すなわち、長尺の係止対象物の任意の箇所において係止金具３を容易に掛けることができ、外力Ｆ１が金属製線材３０に対して作用しないときは、係止対象物が第１端部３１と第２端部３２との間を通して第１の空間Ｓ１から抜けないようにすることができる。
【００５０】
（１２）金属製線材３０は、中間部３３から遠ざかるにつれて第１連結部３４と第２連結部３５との間隔が小さくなるように曲げられているため、上記（３）と同様の効果を得ることができる。すなわち、第２の空間Ｓ２を小さくすることができる。
【００５１】
（１３）第１端部３１と第２端部３２とが第２の空間Ｓ２を閉じている状態において、第１端部３１の先端面３１Ａと第２端部３２の先端面３２Ａとが互いに接触する。このため、第１端部３１と第２端部３２とが第２の空間Ｓ２を閉じている状態においては、係止対象物が第１端部３１と第２端部３２との間を通して第２の空間Ｓ２から抜けることを確実に防止することができる。また、第１端部３１の先端面３１Ａと第２端部３２の先端面３２Ａとが互いに離れることにより、第２の空間Ｓ２を直ちに開口させることができる。
【００５２】
（第４実施形態）
次に、図７及び図８を参照して、本発明の第４実施形態を説明する。
図７に示すように、係止金具４は、１本の金属製線材４０からなる。金属製線材４０としては、金属製線材１０と同じ丸線を用いることができる。係止金具４は、例えば、Ｘ方向において約１．１ｃｍの寸法、Ｙ方向において約２．６ｃｍの寸法、および、Ｚ方向において約７ｃｍの寸法を有する。
【００５３】
金属製線材４０は、一端である第１端部４１と、他端である第２端部４２と、第１端部４１と第２端部４２との間に設けられた中間部４３とを有し、さらに、第１端部４１と中間部４３とを連結する第１連結部４４と、第２端部４２と中間部４３とを連結する第２連結部４５とを有する。１本の金属製線材４０は、第１端部４１、第１連結部４４、中間部４３、第２連結部４５、第２端部４２の順で連続している。
【００５４】
第１端部４１および第２端部４２は、鉤状に形成されている。鉤状の第１端部４１および第２端部４２は、第１連結部４４と第２連結部４５により形成される第１の空間Ｓ１（図７（Ａ）参照）を閉じるように、第１の空間Ｓ１に向けて曲がっている。第１端部４１および第２端部４２は、同じ形状を有しており、約０．６ｃｍの内径を有するように円弧状の部分を有する。図７（Ｃ）に示すように、第１端部４１の先端面４１Ａを含む部分、すなわち第１端部４１の先端は、直線状の第１連結部４４を向いている。また、図７（Ｄ）に示すように、第２端部４２の先端面４２Ａを含む部分、すなわち第２端部４２の先端は、直線状の第２連結部４５を向いている。第１端部４１と第２端部４２とは、第１の空間Ｓ１に向けて開口可能であって、係止対象物を通すことが可能な第２の空間Ｓ２を形成し、かつ、第２の空間Ｓ２を閉じるように互いに重なっている。
【００５５】
中間部４３は、約２．３ｃｍの内径を形成する半円形状の部分を有する。中間部４３が曲げられたことにより、第１連結部４４と第２連結部４５とは、交差せずにＺ方向に延び、かつ、第１の空間Ｓ１を介して互いに対向するように配置されている。また、金属製線材４０は、中間部４３から遠ざかるにつれて第１連結部４４と第２連結部４５との間隔が小さくなるように曲げられている。また、図７（Ｂ）に示すように、中間部４３は、第１端部４１と第２端部４２とが互いに対向する仮想平面Ｐ（図７（Ｂ）参照）に垂直なＹ方向に延びている。このため、第１の空間Ｓ１のＹ方向の寸法は、第１の空間Ｓ１のＸ方向の寸法に比べて大きい。
【００５６】
金属製線材４０は、互いに重なった第１端部４１と第２端部４２との間を通して係止対象物を第１の空間Ｓ１に対して出し入れできるように弾性変形する。すなわち、金属製線材４０は、外力を加えることにより、第１端部４１と第２端部４２とがＹ方向において互いに離れるように弾性変形する。また、第１連結部４４と第２連結部４５とを互いに近づける外力が金属製線材４０に対して作用することにより、金属製線材４０は、第２の空間Ｓ２が第１の空間Ｓ１に向けて開口するように弾性変形する。図７（Ａ）に示すように、第１端部４１と第２端部４２とが第２の空間Ｓ２を閉じている状態においては、第１端部４１と第２端部４２とが互いに対向する仮想平面Ｐ（図７（Ｂ）参照）に垂直な方向から見て、第１端部４１の先端と第２端部４２の先端とが重なっている。
【００５７】
図８を参照して、係止金具４を係止対象物である紐Ｒに掛ける工程の一例について説明する。
まず、係止金具４の外部から紐Ｒを第１の空間Ｓ１に通すために、図８（Ａ）に示すように、第１端部４１と第２端部４２とが互いに離れる外力Ｆ１を金属製線材４０に加えて、金属製線材４０を弾性変形させる。そして、第１端部４１と第２端部４２との間を通して、第１連結部４４と第２連結部４５との間に紐Ｒを移動させることにより、図８（Ｂ）に示すように、第１の空間Ｓ１に紐Ｒを通す。第１の空間Ｓ１に紐Ｒを通した後、金属製線材４０の復元力によって両端部４１，４２を互いに近づけて、第１端部４１と第２端部４２とにより第１の空間Ｓ１が閉じた状態とする。次いで、図８（Ｃ）に示すように、第１連結部４４と第２連結部４５とが互いに近づく外力Ｆ２を金属製線材４０に加えて、金属製線材４０を弾性変形させる。そして、第１端部４１の先端と第２端部４２の先端との間を通して、第１の空間Ｓ１から第２の空間Ｓ２に紐Ｒを移動させ、金属製線材４０の復元力によって両連結部４４，４５を互いに離して、第１端部４１と第２端部４２とにより第２の空間Ｓ２が閉じた状態とする。このようにして、図８（Ｄ）に示すように、紐Ｒに係止金具４が掛けられる。
【００５８】
本実施形態の係止金具４においては以下の効果が得られる。
（１４）第１連結部４４と第２連結部４５とを互いに近づける外力Ｆ２が金属製線材４０に対して作用するときは、金属製線材４０が弾性変形することにより、第２の空間Ｓ２が第１の空間Ｓ１に向けて開口する。したがって、上記（１）と同様の作用効果を得ることができる。すなわち、第２の空間Ｓ２に係止対象物を通すことにより係止金具４が係止対象物に掛けられるため、係止対象物から外れにくく、かつ、構成部品が少ない安価な係止金具４を構成することができる。
【００５９】
（１５）互いに重なった第１端部４１と第２端部４２との間を通して紐Ｒ等の係止対象物を第１の空間Ｓ１に対して出し入れできるように金属製線材４０が弾性変形する。したがって、上記（２）と同様の作用効果を得ることができる。すなわち、長尺の係止対象物の任意の箇所において係止金具４を容易に掛けることができ、外力Ｆ１が金属製線材４０に対して作用しないときは、係止対象物が第１端部４１と第２端部４２との間を通して第１の空間Ｓ１から抜けないようにすることができる。
【００６０】
（１６）第１端部４１と第２端部４２とが第２の空間Ｓ２を閉じている状態において、第１端部４１と第２端部４２とが互いに対向する仮想平面Ｐ１に対して垂直な方向から見て、第１端部４１の先端と第２端部４２の先端とが重なる。このため、上記（５）と同様の作用効果を得ることができる。すなわち、第２の空間Ｓ２を直ちに開口させないようにすることができる。
【００６１】
（第５実施形態）
次に、図９および図１０を参照して、本発明の第５実施形態を説明する。
図９に示すように、係止金具５は、１本の金属製線材５０からなる。金属製線材５０としては、金属製線材１０と同じ丸線を用いることができる。係止金具５は、例えば、Ｘ方向において約２．８ｃｍの寸法、Ｙ方向において約０．６ｃｍの寸法、および、Ｚ方向において約７．８ｃｍの寸法を有する。
【００６２】
金属製線材５０は、一端である第１端部５１と、他端である第２端部５２と、第１端部５１と第２端部５２との間に設けられた中間部５３とを有し、さらに、第１端部５１と中間部５３とを連結する第１連結部５４と、第２端部５２と中間部５３とを連結する第２連結部５５とを有する。１本の金属製線材５０は、第１端部５１、第１連結部５４、中間部５３、第２連結部５５、第２端部５２の順で連続している。
【００６３】
第１端部５１および第２端部５２は、鉤状に形成されている。鉤状の第１端部５１および第２端部５２は、第１連結部５４と第２連結部５５により形成される第１の空間Ｓ１（図９（Ａ）参照）を閉じるように、第１の空間Ｓ１に向けて曲がっている。第１端部５１および第２端部５２は、異なる形状を有しており、第１端部５１は、約０．５ｃｍの曲率半径で１８０°折れ曲がった部分を有し、第２端部５２は、約２．８ｃｍの内径を有するように円弧状の部分を有する。図９（Ｃ）に示すように、第１端部５１の先端面５１Ａを含む部分、すなわち第１端部５１の先端は、中間部５３を向いている。また、図９（Ｄ）に示すように、第２端部５２の先端面５２Ａを含む部分、すなわち第２端部５２の先端は、ほぼ直線状の第２連結部５５を向いている。第１端部５１と第２端部５２とは、第１の空間Ｓ１に向けて開口可能であって、係止対象物を通すことが可能な第２の空間Ｓ２を形成し、かつ、第２の空間Ｓ２を閉じるように互いに重なっている。
【００６４】
中間部５３は、約０．５ｃｍの内径を有する巻きばね状となっている。すなわち、中間部５３は、閉じた第３の空間Ｓ３が形成されるように、金属製線材５０が１周以上巻かれて形成されている。中間部５３が曲げられたことにより、第１連結部５４と第２連結部５５とは、交差せずにＺ方向に延び、かつ、第１の空間Ｓ１を介して互いに対向するように配置されている。また、金属製線材５０は、中間部５３から遠ざかるにつれて第１連結部５４と第２連結部５５との間隔が大きくなるように曲げられている。
【００６５】
金属製線材５０は、互いに重なった第１端部５１と第２端部５２との間を通して係止対象物を第１の空間Ｓ１に対して出し入れできるように弾性変形する。すなわち、金属製線材５０は、外力を加えることにより、第１端部５１と第２端部５２とがＹ方向において互いに離れるように弾性変形する。また、第１連結部５４と第２連結部５５とを互いに近づける外力が金属製線材５０に対して作用することにより、金属製線材５０は、第２の空間Ｓ２が第１の空間Ｓ１に向けて開口するように弾性変形する。図９（Ａ）に示すように、第１端部５１と第２端部５２とが第２の空間Ｓ２を閉じている状態においては、第１端部５１と第２端部５２とが互いに対向する仮想平面Ｐ（図９（Ｂ）参照）に垂直な方向から見て、第１端部５１の先端と第２端部５２の先端とが重なっている。
【００６６】
図１０を参照して、係止金具５を係止対象物である紐Ｒに掛ける工程の一例について説明する。
まず、係止金具５の外部から紐Ｒを第１の空間Ｓ１に通すために、図１０（Ａ）に示すように、第１端部５１と第２端部５２とが互いに離れる外力Ｆ１を金属製線材５０に加えて、金属製線材５０を弾性変形させる。そして、第１端部５１と第２端部５２との間を通して、第１連結部５４と第２連結部５５との間に紐Ｒを移動させ、係止金具５の向きを９０°変えることにより、図１０（Ｂ）に示すように、第１の空間Ｓ１に紐Ｒを通す。第１の空間Ｓ１に紐Ｒを通した後、金属製線材５０の復元力によって両端部５１，５２を互いに近づけて、第１端部５１と第２端部５２とにより第１の空間Ｓ１が閉じた状態とする。次いで、図１０（Ｃ）に示すように、第１連結部５４と第２連結部５５とが互いに近づく外力Ｆ２を金属製線材５０に加えて、金属製線材５０を弾性変形させる。そして、第１端部５１の先端と第２端部５２の先端との間を通して、第１の空間Ｓ１から第２の空間Ｓ２に紐Ｒを移動させ、金属製線材５０の復元力によって両連結部５４，５５を互いに離して、第１端部５１と第２端部５２とにより第２の空間Ｓ２が閉じた状態とする。このようにして、図１０（Ｄ）に示すように、紐Ｒに係止金具５が掛けられる。
【００６７】
本実施形態の係止金具５においては以下の効果が得られる。
（１７）第１連結部５４と第２連結部５５とを互いに近づける外力Ｆ２が金属製線材５０に対して作用するときは、金属製線材５０が弾性変形することにより、第２の空間Ｓ２が第１の空間Ｓ１に向けて開口する。したがって、上記（１）と同様の作用効果を得ることができる。すなわち、第２の空間Ｓ２に係止対象物を通すことにより係止金具５が係止対象物に掛けられるため、係止対象物から外れにくく、かつ、構成部品が少ない安価な係止金具５を構成することができる。
【００６８】
（１８）互いに重なった第１端部５１と第２端部５２との間を通して紐Ｒ等の係止対象物を第１の空間Ｓ１に対して出し入れできるように金属製線材５０が弾性変形する。したがって、上記（２）と同様の作用効果を得ることができる。すなわち、長尺の係止対象物の任意の箇所において係止金具５を容易に掛けることができ、外力Ｆ１が金属製線材５０に対して作用しないときは、係止対象物が第１端部５１と第２端部５２との間を通して第１の空間Ｓ１から抜けないようにすることができる。
【００６９】
（１９）金属製線材５０は、中間部５３から遠ざかるにつれて第１連結部５４と第２連結部５５との間隔が大きくなるように曲げられている。このため、上記（８）と同様の効果を得ることができる。すなわち、第２の空間Ｓ２を大きくすることができる。
【００７０】
（２０）中間部５３は、閉じた第３の空間Ｓ３が形成されるように１周以上巻かれた巻きばね状となっている。このため、上記（４）と同様の作用効果を得ることができる。すなわち、係止金具５を２つの係止対象物に掛けることができ、係止対象物が互いに干渉しないようにすることができる。
【００７１】
（２１）第１端部５１と第２端部５２とが第２の空間Ｓ２を閉じている状態において、第１端部５１と第２端部５２とが互いに対向する仮想平面Ｐ１に対して垂直な方向から見て、第１端部５１の先端と第２端部５２の先端とが重なる。このため、上記（５）と同様の作用効果を得ることができる。すなわち、第２の空間Ｓ２を直ちに開口させないようにすることができる。
【００７２】
（第６実施形態）
次に、図１１および図１２を参照して、本発明の第６実施形態を説明する。
図１１に示すように、係止金具６は、１本の金属製線材６０からなる。金属製線材６０としては、例えば、金属製線材１０と同じ丸線を用いることができる。係止金具６は、例えば、Ｘ方向において約２．９ｃｍの寸法、Ｙ方向において約０．６ｃｍの寸法、および、Ｚ方向において約７．２ｃｍの寸法を有する。
【００７３】
金属製線材６０は、一端である第１端部６１と、他端である第２端部６２と、第１端部６１と第２端部６２との間に設けられた中間部６３とを有し、さらに、第１端部６１と中間部６３とを連結する第１連結部６４と、第２端部６２と中間部６３とを連結する第２連結部６５とを有する。１本の金属製線材６０は、第１端部６１、第１連結部６４、中間部６３、第２連結部６５、第２端部６２の順で連続している。
【００７４】
第１端部６１および第２端部６２は、鉤状に形成されている。鉤状の第１端部６１および第２端部６２は、第１連結部６４と第２連結部６５により形成される第１の空間Ｓ１（図１１（Ａ）参照）を閉じるように、第１の空間Ｓ１に向けて曲がっている。第１端部６１および第２端部６２は、同じ形状を有しており、約２．４ｃｍの内径を有するように円弧状の部分を有する。図１１（Ｃ）に示すように、第１端部６１の先端面６１Ａを含む部分、すなわち第１端部６１の先端は、第１端部６１の円弧状の部分に向けて屈曲している。また、図１１（Ｄ）に示すように、第２端部６２の先端面６２Ａを含む部分、すなわち第２端部６２の先端は、第２端部６２の円弧状の部分に向けて屈曲している。第１端部６１と第２端部６２とは、第１の空間Ｓ１に向けて開口可能であって、係止対象物を通すことが可能な第２の空間Ｓ２を形成し、かつ、第２の空間Ｓ２を閉じるように互いに重なっている。第１端部６１と第２端部６２とが第２の空間Ｓ２を閉じている状態において、第１端部６１および第２端部６２の先端は、第２の空間Ｓ２に向けて折れ曲がっている。
【００７５】
また、第１端部６１および第２端部６２は、第１の空間Ｓ１から第２の空間Ｓ２に向けて係止対象物を案内することが可能な案内部６６，６７を有している。第１端部６１が有する案内部６６は、第１端部６１の先端において第１の空間Ｓ１を形成する面により構成され、第２端部６２が有する案内部６７は、第２端部６２の先端において第１の空間Ｓ１を形成する面により構成される。案内部６６，６７を第２の空間Ｓ２に向けて押したときに、第１連結部６４と第２連結部６５とを互いに近づける外力が金属製線材６０に対して作用する。
【００７６】
中間部６３は、約２．４ｃｍの内径を形成する半円形状の部分を有する。中間部６３が曲げられたことにより、第１連結部６４と第２連結部６５とは、交差せずにＺ方向に平行に延び、かつ、第１の空間Ｓ１を介して互いに対向するように配置されている。
【００７７】
金属製線材６０は、互いに重なった第１端部６１と第２端部６２との間を通して係止対象物を第１の空間Ｓ１に対して出し入れできるように弾性変形する。すなわち、金属製線材６０は、外力を加えることにより、第１端部６１と第２端部６２とがＹ方向において互いに離れるように弾性変形する。また、第１連結部６４と第２連結部６５とを互いに近づける外力が金属製線材６０に対して作用することにより、金属製線材６０は、第２の空間Ｓ２が第１の空間Ｓ１に向けて開口するように弾性変形する。図１１（Ａ）に示すように、第１端部６１と第２端部６２とが第２の空間Ｓ２を閉じている状態においては、第１端部６１と第２端部６２とが互いに対向する仮想平面Ｐ（図１１（Ｂ）参照）に垂直な方向から見て、第１端部６１の先端と第２端部６２の先端とが重なっている。
【００７８】
図１２を参照して、係止金具６を係止対象物である紐Ｒに掛ける工程の一例について説明する。
まず、係止金具６の外部から紐Ｒを第１の空間Ｓ１に通すために、図１２（Ａ）に示すように、第１端部６１と第２端部６２とが互いに離れる外力Ｆ１を金属製線材６０に加えて、金属製線材６０を弾性変形させる。そして、第１端部６１と第２端部６２との間を通して、第１連結部６４と第２連結部６５との間に紐Ｒを移動させ、係止金具６の向きを９０°変えることにより、図１２（Ｂ）に示すように、第１の空間Ｓ１に紐Ｒを通す。第１の空間Ｓ１に紐Ｒを通した後、金属製線材６０の復元力によって両端部６１，６２を互いに近づけて、第１端部６１と第２端部６２とにより第１の空間Ｓ１が閉じた状態とする。次いで、図１２（Ｃ）に示すように、案内部６６，６７に対して紐Ｒを第２の空間Ｓ２に向けて押し当てることにより、第１連結部６４と第２連結部６５とが互いに近づく外力Ｆ２を金属製線材６０に加えて、金属製線材６０を弾性変形させる。そして、第１端部６１の先端と第２端部６２の先端との間を通して、第１の空間Ｓ１から第２の空間Ｓ２に紐Ｒを移動させ、金属製線材６０の復元力によって両連結部６４，６５を互いに離して、第１端部６１と第２端部６２とにより第２の空間Ｓ２が閉じた状態とする。このようにして、図１２（Ｄ）に示すように、紐Ｒに係止金具６が掛けられる。
【００７９】
本実施形態の係止金具６においては以下の効果が得られる。
（２２）第１連結部６４と第２連結部６５とを互いに近づける外力Ｆ２が金属製線材６０に対して作用するときは、金属製線材６０が弾性変形することにより、第２の空間Ｓ２が第１の空間Ｓ１に向けて開口する。したがって、上記（１）と同様の作用効果を得ることができる。すなわち、第２の空間Ｓ２に係止対象物を通すことにより係止金具６が係止対象物に掛けられるため、係止対象物から外れにくく、かつ、構成部品が少ない安価な係止金具６を構成することができる。
【００８０】
（２３）互いに重なった第１端部６１と第２端部６２との間を通して紐Ｒ等の係止対象物を第１の空間Ｓ１に対して出し入れできるように金属製線材６０が弾性変形する。したがって、上記（２）と同様の作用効果を得ることができる。すなわち、長尺の係止対象物の任意の箇所において係止金具６を容易に掛けることができ、外力Ｆ１が金属製線材６０に対して作用しないときは、係止対象物が第１端部６１と第２端部６２との間を通して第１の空間Ｓ１から抜けないようにすることができる。
【００８１】
（２４）第１端部６１および第２端部６２は、第１の空間Ｓ１から第２の空間Ｓ２に向けて紐Ｒ等の係止対象物を案内することが可能な案内部６６，６７を有し、係止対象物が、第２の空間Ｓ２に向けて案内部６６，６７を押したときに、第１連結部６４と第２連結部６５とを互いに近づける外力Ｆ２が金属製線材６０に対して作用する。このため、案内部６６，６７に沿って係止対象物を第２の空間Ｓ２に向けて動かすことにより、第２の空間Ｓ２を開口させて、第１の空間Ｓ１から第２の空間Ｓ２に係止対象物を容易に移動させることができる。
【００８２】
（２５）第１端部６１と第２端部６２とが第２の空間Ｓ２を閉じている状態において、第１端部６１および第２端部６２の先端は、第２の空間Ｓ２に向けて折れ曲がっている。このため、第２の空間Ｓ２に通された紐Ｒ等の係止対象物の動きを、第１端部６１および第２端部６２の先端により規制することができ、係止対象物が第２の空間Ｓ２から第１の空間Ｓ１に抜けることを、効果的に抑制することができる。なお、第１端部６１および第２端部６２の両方の先端が第２の空間Ｓ２に向けて折れ曲がる場合だけでなく、第１端部６１および第２端部６２の一方の先端が、第２の空間Ｓ２に向けて折れ曲がる場合にも同様の作用効果が得られる。
【００８３】
本発明は、上記実施形態に限定されるものではなく、上記実施形態の構成を適宜変更することもできる。例えば、上記構成を以下のように変更して実施することもでき、以下の変更を組み合わせて実施することもできる。
【００８４】
・上記実施形態に記載される第２の空間Ｓ２を形成することができるのであれば、金属製線材の第１端部の形状および第２端部の形状を適宜変更してもよい。例えば、図１３に示す係止金具６Ａにおいても、上記第６実施形態の係止金具６と同様の効果を得ることができる。係止金具６Ａは、第６実施形態に比べて先端が緩やかに曲がった第１端部６１および第２端部６２を有する。また、例えば、上記実施形態における鉤状の第１端部および第２端部は円弧状の部分を有するが、ほぼ三角形状の部分を有してもよい。すなわち、本発明において「鉤状」の形状は、上記実施形態に限定されない。
【００８５】
・上記実施形態に記載される第１の空間Ｓ１を形成することができるのであれば、金属製線材の第１連結部の形状および第２連結部の形状を適宜変更してもよい。また、係止対象物に係止金具を掛けることができるのであれば、上記実施形態に記載される係止金具１〜６の寸法を適宜変更してもよい。すなわち、係止金具の形状は適宜変更してもよく、各空間Ｓ１，Ｓ２，Ｓ３の寸法を適宜変更してもよい。
【００８６】
・互いに重なる金属製線材の第１端部と第２端部との間隔を大きくして、金属製線材を弾性変形させることなく、第１端部と第２端部との間を通して係止対象物を第１の空間に対して出し入れできるように構成してもよい。
【００８７】
・上記実施形態に記載された作用効果を得ることができるのであれば、例えば、鉄またはアルミニウム等の金属材料からなる金属製線材により係止金具を形成してもよく、また、金属製線材が、断面形状が非円形である角線であってもよい。すなわち、金属製線材の材質等は適宜変更してもよい。
【００８８】
・上記実施形態のうち、いずれかの実施形態における係止金具が備える構成を、他の実施形態における係止金具に適用してもよい。すなわち、例えば、第１実施形態において中間部２３が巻きばね状となる構成を、第３実施形態の中間部３３に適用してもよい。
【００８９】
・上記実施形態に記載される第２の空間Ｓ２から係止対象物が抜けないのであれば、第２の空間は、仮想平面Ｐに対して垂直な方向から見て、第２の空間Ｓ２が第１の空間Ｓ１に向けて僅かに開口していてもよい。すなわち、本発明において「閉じる」とは、隣り合う空間において係止対象物の出し入れが規制される状態とすることを意味し、隣り合う空間を完全に仕切ることを意味しない。
【符号の説明】
【００９０】
１，２，３，４，５，６，６Ａ  係止金具
１０，２０，３０，４０，５０，６０  金属製線材
１１，２１，３１，４１，５１，６１  第１端部
１１Ａ，２１Ａ，３１Ａ，４１Ａ，５１Ａ，６１Ａ  先端面
１２，２２，３２，４２，５２，６２  第２端部
１２Ａ，２２Ａ，３２Ａ，４２Ａ，５２Ａ，６２Ａ  先端面
１３，２３，３３，４３，５３，６３  中間部
１４，２４，３４，４４，５４，６４  第１連結部
１５，２５，３５，４５，５５，６５  第２連結部
６６，６７  案内部
Ｆ１，Ｆ２  外力
Ｐ  仮想平面
Ｒ  紐（係止対象物）
Ｓ１  第１の空間
Ｓ２  第２の空間
Ｓ３  第３の空間
【図１】
2015021607.tif 000003
【図２】
2015021607.tif 000004
【図３】
2015021607.tif 000005
【図４】
2015021607.tif 000006
【図５】
2015021607.tif 000007
【図６】
2015021607.tif 000008
【図７】
2015021607.tif 000009
【図８】
2015021607.tif 000010
【図９】
2015021607.tif 000011
【図１０】
2015021607.tif 000012
【図１１】
2015021607.tif 000013
【図１２】
2015021607.tif 000014
【図１３】
2015021607.tif 000015
【図１４】
2015021607.tif 000016